(57)【要約】  【課題】  フックを取り除いても孔や薬剤などの跡が残らない方式で窓ガラス面に装飾物を係止することができるフック類を提供する。  【解決手段】  吊り下げフック４０は窓ガラス対向ツメ１０とサッシ対向ツメ２０とブリッジ３０を備えている。サッシフレームに対向するサッシ対向ツメ２０はサッシフレーム２１０の下端部の返し２１１に引っ掛ける引っ掛け形状２１を備えている。窓ガラス３００に対向する窓ガラス対向ツメ１０はサッシフレーム２２０側に盛り上がった突起形状１１を備えている。ブリッジ３０から下方に延びるワイヤー５０の先端には装飾物を挟持する挟持フック６０が取り付けられている。窓ガラス対向ツメ１０とサッシ対向ツメ２０によりゴムビート２３０を挟み噛ませつつ窓ガラス３００とサッシフレーム２００との間に押し入れて装着・係止する。挟持フック６０により装飾物を挟み持つ。【選択図】図３
0003137288.tif 000002
【実用新案登録請求の範囲】
【請求項１】
サッシフレームと窓ガラスとの間に押し入れて係止せしめ装飾対象物を吊り下げる窓ガラス装飾フックであって、
前記サッシフレームの下端部の返しに引っ掛ける引っ掛け形状を備え、前記サッシフレームに対向するサッシ対向ツメと、
前記サッシフレーム側に盛り上がった突起形状を備え、前記窓ガラスに対向する窓ガラス対向ツメと、
前記窓ガラス対向ツメと前記サッシ対向ツメを繋ぐブリッジと、
前記ブリッジから下方に延びるワイヤーと、前記ワイヤーに繋がる装飾物を挟持する挟持フックとを備え、
前記窓ガラス対向ツメと前記サッシ対向ツメによりゴムビートを挟み噛ませつつ前記窓ガラスと前記サッシフレームとの間に押し入れて装着・係止する窓ガラス装飾フック。
【請求項２】
前記サッシ対向ツメの引っ掛け形状よりも前記窓ガラス対向ツメの突起形状が略前記ゴムビートの厚さ程度上に位置し、前記窓ガラス対向ツメにかかる下方への力が前記ゴムビートを介して前記サッシ対向ツメの引っ掛け形状を前記サッシフレームの下端部の返し側に押し付ける圧力となる請求項１に記載の窓ガラス装飾フック。
【請求項３】
前記ブリッジから下方に延びる副ワイヤーと、前記副ワイヤーに繋がり装飾物を挟持する副挟持フックとを備え、
前記副ワイヤーを前記挟持フックのガイド孔を通して副挟持フックまで配し、前記ワイヤーが切断しても前記挟持フックの位置が前記ガイド孔を介して前記副ワイヤーにより一時的に制御されることを特徴とする請求項２に記載の窓ガラス装飾フック。
【請求項４】
前記挟持フックが、前記装飾物を挟み込む開口部を備えた本体と、前記開口部の付近に回動可能に連結され、その先端に前記開口部に出没可能な係合歯を有するカムと、前記開口部に挿入された前記装飾物を挟持した状態にカムを維持するロック機構とを備えた挟持フックである請求項１から３のいずれかに記載の窓ガラス装飾フック。
【考案の詳細な説明】
【技術分野】
【０００１】
本考案は、サッシフレームと窓ガラスとの間に押し入れて係止せしめ装飾対象物を吊り下げる窓ガラス装飾フックに関する。
例えば、装飾物がガラス製の装飾品であれば、窓ガラスの前に当該装飾物を飾り付けることができ、背面からの光の調子により美しい芸術的な飾り付けが可能となる。
【背景技術】
【０００２】
家庭やオフィスの室内の壁などに装飾品をディスプレイするときにフック類を用いて装飾品を係止する。従来技術において多様なフック類が開示されている。
もっとも一般的なものがフック部分を持つ金具を釘や螺子で止めるものであり、例えば、特開平０８−７０９８４号公報に示すものが知られている。
従来技術において吸盤タイプのものも良く用いられている。従来技術における吸盤タイプのフック類として例えば、実開平０７−３０８５９号公報に示すものが知られている。
従来技術において壁などに接着剤で固定するものも簡易タイプのものとして良く用いられている。接着剤を用いるフック類としては例えば、特開平１１−１２８０５５号公報に示すものが知られている。
【０００３】
また、従来技術において壁などの平面以外のものに係止するタイプのものも知られている。
例えば円柱のポール類などに係止するフック類としては特開平１１−８９７０３号公報に示すものが知られている。
また、手すり類に係止するフック類としては特開２０００−５１０３１号公報に示すものが知られている。
また、本格的なものとしては、別途ピクチャーレールを壁面に螺子類で固定した上で当該ピクチャーレールに対して引っ掛けるフック類が実用新案登録第３１１２４５９号公報に開示されている。
【０００４】
【特許文献１】特開平０８−７０９８４号公報
【特許文献２】実開平０７−３０８５９号公報
【特許文献３】特開平１１−１２８０５５号公報
【特許文献４】特開平１１−８９７０３号公報
【特許文献５】特開２０００−５１０３１号公報
【特許文献６】実用新案登録第３１１２４５９号公報
【考案の開示】
【考案が解決しようとする課題】
【０００５】
しかし、上記従来のフック類には以下の問題があった。
特許文献１の特開平０８−７０９８４号公報の技術の問題は、釘や螺子類により壁面に対して固定するため壁面を傷つけてしまうという問題がある。一度取り付けたフック類を半永久的に取り付けたままであれば問題が少ないが、通常は装飾品を飾る位置を変更したり、利用者が引越ししたりするなどすることが想定され、フック類を取り除いた後に釘や螺子跡が残ってしまう。そのため、釘や螺子類により固定するタイプのフック類の使用が敬遠される場合が多くなってきた。
【０００６】
次に、特許文献２の実開平０７−３０８５９号公報の技術の問題は、吸盤の吸着力により壁面に対して固定するが、凹凸やザラ目がある壁面であれば吸盤による吸着ができないという問題があり、また、たとえ吸盤に適した平面である場合であっても吸盤の吸着力は比較的小さい場合が多く、ガラス製の装飾品など比較的重い装飾物の係止には向かない。
【０００７】
次に、特許文献３の特開平１１−１２８０５５号公報の技術の問題は、接着剤を用いるため壁面を汚してしまうという問題がある。一度取り付けたフック類を半永久的に取り付けたままであれば問題が少ないが、通常は装飾品を飾る位置を変更したり、利用者が引越ししたりするなどすることが想定され、フック類を取り除いた後に接着剤の跡が残ってしまう。そのため、接着剤により固定するタイプのフック類の使用が敬遠される場合が多くなってきた。
【０００８】
次に、特許文献４の特開平１１−８９７０３号公報の技術の問題は、円柱のポール類にしか用いることができないことが問題である。
同様に、特許文献５の特開２０００−５１０３１号公報の技術の問題は、手すりに対してしか用いることができないことが問題である。
同様に、特許文献６の実用新案登録第３１１２４５９号公報の技術の問題は、ピクチャーフレームに対してしか用いることができないことが問題である。
【０００９】
上記問題点に鑑み、本考案は、装飾物を取り付ける場所に最適な形状を持ち、例えばガラス製などの重い装飾物であっても安定してしっかりと係止することができるフックを提供することを目的とする。
また、上記問題点に鑑み、本考案は、フックを取り除いても孔や薬剤などの跡が残らない方式で係止することができるフック類を提供することを目的とする。
【課題を解決するための手段】
【００１０】
上記目的を達成するため、本考案の窓ガラス装飾フックは、サッシフレームと窓ガラスとの間に押し入れて係止せしめ装飾対象物を吊り下げる窓ガラス装飾フックであって、
前記サッシフレームの下端部の返しに引っ掛ける引っ掛け形状を備え、前記サッシフレームに対向するサッシ対向ツメと、
前記サッシフレーム側に盛り上がった突起形状を備え、前記窓ガラスに対向する窓ガラス対向ツメと、
前記窓ガラス対向ツメと前記サッシ対向ツメを繋ぐブリッジと、
前記ブリッジから下方に延びるワイヤーと、前記ワイヤーに繋がる装飾物を挟持する挟持フックとを備え、
前記窓ガラス対向ツメと前記サッシ対向ツメによりゴムビートを挟み噛ませつつ前記窓ガラスと前記サッシフレームとの間に押し入れて装着・係止するものである。
上記構成により、通常は係止することができないサッシフレームと窓ガラスとの間にフックを係止し、窓ガラスを背景に装飾物を浮かせた状態で吊り下げることができる。例えば、ガラス製の装飾物であれば、後方の窓ガラスから入射する外光を受けることができ、鮮やかな光の変化、鮮やかな色彩の変化を楽しむことなどが可能となる。
【００１１】
次に、上記構成において、前記サッシ対向ツメの引っ掛け形状よりも前記窓ガラス対向ツメの突起形状が略前記ゴムビートの厚さ程度上に位置し、前記窓ガラス対向ツメにかかる下方への力が前記ゴムビートを介して前記サッシ対向ツメの引っ掛け形状を前記サッシフレームの下端部の返し側に押し付ける圧力とすることが好ましい。
上記構成により、装飾物を支えるために窓ガラス対向ツメに対して下向きに装飾物の重力がかかってもその重力がサッシ対向ツメの引っ掛け形状をサッシフレームの下端部の返し側に押し付ける圧力として働くので、重い装飾物を吊り下げるほどフックを固定する圧力が増えることとなり本考案の窓ガラス装飾フックがより一層安定する。もっともフックの金属強度やサッシの構造強度を超える重量を持つ装飾物を吊り下げると本考案の窓ガラス装飾フック全体が破損してしまうので適応重量は存在する。
【００１２】
次に、上記構成において、前記ブリッジから下方に延びる副ワイヤーと、前記副ワイヤーに繋がり装飾物を挟持する副挟持フックとを備え、前記副ワイヤーを前記挟持フックのガイド孔を通して副挟持フックまで配し、前記ワイヤーが切断しても前記挟持フックの位置が前記ガイド孔を介して前記副ワイヤーにより一時的に制御されることを特徴とする。
上記構成により、複数の挟持フック（副挟持フックを含む）によって複数箇所において装飾物を挟持する構成として装飾物の吊り下げを安定させ、かつ、ワイヤーが切断されても他の挟持フックを配するために巡らせているワイヤーによってできるだけ装飾物が不安定に傾いたりしないようにできる。
【００１３】
なお、上記構成において、前記挟持フックは、前記装飾物を挟み込む開口部を備えた本体と、前記開口部の付近に回動可能に連結され、その先端に前記開口部に出没可能な係合歯を有するカムと、前記開口部に挿入された前記装飾物を挟持した状態にカムを維持するロック機構とを備えたものであることが好ましい。
このような挟持フックであれば、ガラス製の装飾品など比較的重い装飾物であってもしっかりと挟持することができる。
【考案の効果】
【００１４】
本考案の窓ガラス装飾フックによれば、通常は係止することができないサッシフレームと窓ガラスとの間にフックを係止し、窓ガラスを背景に装飾物を浮かせた状態で吊り下げることができる。例えば、ガラス製の装飾物であれば、後方の窓ガラスから入射する外光を受けることができ、鮮やかな光の変化、鮮やかな色彩の変化を楽しむことなどが可能となる。
【考案を実施するための最良の形態】
【００１５】
以下、本考案を実施するための最良の形態について実施例により具体的に説明する。なお、本考案はこれらの実施例に限定されるものではない。
【実施例１】
【００１６】
本考案の窓ガラス装飾フックの構成例を説明する。以下、装飾物としてガラス製の皿を例として取り上げたものであるが、本考案の窓ガラス装飾フックに適応する装飾品として挟持フックに挟めるものであれば特に限定されない。
【００１７】
本考案の窓ガラス装飾フック１００は、吊り下げフック４０、ワイヤー５０、挟持フック６０の構成を備えている。
図１は本考案の窓ガラス装飾フック１００の吊り下げフック４０の構造を模式的に示した図である。吊り下げフック４０は、窓ガラス対向ツメ１０、サッシ対向ツメ２０、ブリッジ３０を備えている。
【００１８】
窓ガラス対向ツメ１０は、吊り下げフック４０のうち窓ガラスに対向する側のツメであり、サッシフレーム側に盛り上がった突起形状１１を備えている。突起形状１１はその一端が窓ガラス３００に接しており折り曲がる形でサッシフレーム側に屹立している。
【００１９】
サッシ対向ツメ２０は、吊り下げフック４０のうちサッシフレームに対向する側のツメであり、サッシフレームの下端部の返し２１１に引っ掛ける引っ掛け形状２１を備えている。サッシフレームの下端部の返し２１１は窓ガラス側に盛り上がっているので当該サッシフレームの下端部の返し２１１に引っ掛ける引っ掛け形状２１は窓ガラス側に屹立している。
【００２０】
ブリッジ３０は窓ガラス対向ツメ１０とサッシ対向ツメ２０を繋ぐ構造となっている。ブリッジ３０の働きにより窓ガラス対向ツメ１０とサッシ対向ツメ２０に弾力性が備わる。
ブリッジ３０の底面にはワイヤー５０が接続され、下方に延びている。当該ワイヤー５０の先端には装飾物を挟持する挟持フック６０が取り付けられている。
吊り下げフック４０は、サッシフレーム２００と窓ガラス３００との間に押し入れて係止する。
【００２１】
図２はサッシフレーム２００と窓ガラス３００の縦断面図を示している。サッシフレーム２００のうち屋内側のフレームが屋内側フレーム２１０、屋外側のフレームが屋外フレーム２２０である。屋内側フレーム２１０、屋外フレーム２２０とも下端部に返し２１１、２２１を備えている。
サッシフレーム２００と窓ガラス３００の間にはゴムビート２３０が設けられている。ゴムビート２３０はサッシフレーム２００と窓ガラス３００両者の隙間を埋めるとともに両者を固定し合うための詰め物である。
【００２２】
図３は、吊り下げフック４０をサッシフレーム２００と窓ガラス３００との間に押し入れて係止する様子を示す図である。図３左に示すように、吊り下げフック４０の窓ガラス対向ツメ１０およびサッシ対向ツメ２０をゴムビート２３０の隙間に押し込んでゆく。図３右に示すように、窓ガラス対向ツメ１０とサッシ対向ツメ２０によりゴムビート２３０を挟み噛ませつつサッシ対向ツメ２０の引っ掛け形状２１が屋内側フレーム２１０の返し２１１に引っ掛かることにより安定する。
【００２３】
図４は、吊り下げフック４０がサッシフレーム２００と窓ガラス３００両者の隙間においてしっかりと安定する様子を模式的に示す図である。図４に示すように、サッシ対向ツメ２０の引っ掛け形状よりも前記窓ガラス対向ツメ１０の突起形状１１が略ゴムビート２３０の厚さ程度上に位置し、窓ガラス対向ツメ１０にかかる下方への力がゴムビート２３０を介してサッシ対向ツメ２０の引っ掛け形状２１をサッシフレーム２１０の下端部の返し２１１側に押し付ける圧力となる。
【００２４】
図５はワイヤー５０の先端に取り付けられている挟持フック６０の構造を示す図である。挟持フック６０は、装飾物を挟み込む開口部６３と、開口部６３の付近に設けられた回転軸６２と、回転軸を中心に回動可能に連結され、その先端に開口部６３に出没可能な係合歯を有するカム６１と、開口部６３に挿入された装飾物を挟持した状態にカムを維持するロック機構（図示せず）と、後述するガイド６４とを備えている。
【００２５】
カム６１の輪郭は渦巻き曲線の一部または楕円曲線の一部となっており、図５下に示すように、回転軸６２を中心に回転してゆくと回転角が大きくなる程、開口部６３に出没する係合歯の開口部６３内側への出っ張りが大きくなる。つまり、カム６１が回るほど係合歯が開口部６３に大きく出没することとなる。
【００２６】
図６は装飾物４００の係止の様子を模式的に示した図である。図６に示すように、装飾物４００を開口部６３に挿入し、カム６１を回転させて係合歯により装飾物４００を挟持する。カム６１の回転によりしっかりと係合歯により装飾物４００を挟持することができる。この状態においてロック機構（図示せず）によりロックする。
【００２７】
なお、ここで、カム６１の輪郭が渦巻き曲線の一部または楕円曲線の一部となっているために装飾物４００が抜け落ちにくくなっていることを示す。図７は両者が下方に移動するほど強く締め付け合う原理を模式的に説明する図である。
装飾物４００がガラス製品など比較的重いものである場合、常に装飾物４００には重力がかかることとなり下方に落ちようとするが、装飾物４００が下方に移動しようとするとカム６１の係合歯も合わせて下に回ろうとするが、カム６１の係合歯が下向きに回ると、上記したように係合歯の輪郭が渦巻き曲線または楕円曲線であるため係合歯がより一層開口部６３に突出するように回るのでより一層装飾物４００を強く締め付けることとなる。つまり、ワイヤー５０などが切れたり挟持フック６０が破壊したりしない限り挟持フックのカム６１を抜け落ちることはない。
ここで、カム６１の係合歯と装飾物４００との間の摩擦係数が大きいほど両者が滑ることなく安定するので、例えば、カム６１の係合歯と装飾物４００に面ファスナーを取り付ける工夫も有効である。
【００２８】
次に、装飾物４００を飾る際に複数個の挟持フック６０を用いる工夫について述べる。
装飾物４００を安定して挟持する方式として左上、右上、左下、右下の４箇所にて挟持する方式がある。図５に示した挟持フック６０は装飾物４００を上から挟持するタイプであったが、図８は装飾物４００を下から挟持するタイプの挟持フックを示す図である。ここでは、副挟持フックと呼ぶ。副挟持フック６０’はブリッジ３０から下方に延びる副ワイヤー５０’に取り付けられている。副挟持フック６０’は装飾物４００を下から支えるものであり、必ずしも挟持フック６０との連動は必須の構成ではないが、両者を連動させることもできる。両者を連動させることにより一方の不具合、例えば、ワイヤー５０の切断などの不慮の事故時に装飾物４００の回転移動を制御するなど、一定の補完効果を与えることができる。
【００２９】
この例では上記図５に示しているように挟持フック６０にはガイド孔６４が設けられている。副ワイヤー５０’をブリッジ３０からこのガイド孔６４を通して装飾物の下方まで配する工夫をする。図９は、挟持フック６０および副挟持フック６０’の装飾物４００への配置例を示す図である。なお装飾物４００の図示は省略している。
【００３０】
左右それぞれの吊り下げフック４０がサッシフレーム２００と窓ガラス３００に間に装着・係止されて取り付けられている。ブリッジ３０からワイヤー５０と副ワイヤー５０’が下方に延びている。ワイヤー５０の先端の挟持フック６０が装飾物４００の右上および左上に取り付けられ、装飾物４００を係止している。
副ワイヤー５０’はブリッジ３０から下方に延び、挟持フック６０のガイド孔６４を通して装飾物４００の右下および左下へ配されてその先端に副挟持フック６０’が取り付けられている。副挟持フック６０’により装飾物４００の右下および左下から装飾物４００を支える。
【００３１】
ここで、ワイヤー５０が切断しても挟持フック６０はしっかりとカム６１により装飾物４００を挟持しているため、一時的には挟持フック６０は装飾物４００に挟持したままである。ここで、副ワイヤー５０’がガイド孔６４を介して吊り下げフック４０に係止されているため、挟持フック６０のガイド孔６４と副ワイヤー５０’のつながりにより一時的に装飾物４００の位置が保持される。つまり、装飾物４００が傾いたり回動したりすることが制御される。
【００３２】
図１０は副ワイヤー５０’の配線をたすき掛けにした例である。このように副ワイヤー５０’の配線をたすき掛けにした場合も図９と同様、ワイヤー５０が切断しても装飾物４００が傾いたり回動したりすることが制御され、一時的に装飾物４００の位置が保持される。
【００３３】
また、本考案は、吊り下げフック４０と挟持フック６０の個数は必ずしも１対１の関係に限られない。例えば、吊り下げフック４０が２個、挟持フック６０が１個という組み合わせもあり得る。図１１は吊り下げフック４０が２個、挟持フック６０が１個という組み合わせの配置例である。サッシフレームの左右に吊り下げフック４０ａ，吊り下げフック４０ｂを配し、それぞれから延びるワイヤー５０ａ，５０ｂが一つの挟持フック６０につながれている。挟持フック６０は装飾物４００の上部一箇所において装飾物４００を吊り支えている。この場合、一方の吊り下げフックが他方の吊り下げフックを補完し合う関係にあり、万が一一方の吊り下げフックがサッシフレームから脱落する不具合が発生しても、他方の吊り下げフックにより装飾物４００を吊り支えることができる。
【００３４】
以上、本考案の窓ガラス装飾フックおよび窓ガラス装飾フックにおける好ましい実施形態を図示して説明してきたが、本考案の技術的範囲を逸脱することなく種々の変更が可能であることは理解されるであろう。
【産業上の利用可能性】
【００３５】
本考案は、サッシフレームと窓ガラスとの間に押し入れて係止せしめ装飾対象物を吊り下げる窓ガラス装飾フックに適用できる。例えば、装飾物がガラス製の装飾品であれば、窓ガラスの前に当該装飾物を飾り付けることができ、背面からの光の調子により美しい芸術的な飾り付けが可能となる。
【図面の簡単な説明】
【００３６】
【図１】本考案の窓ガラス装飾フック１００の吊り下げフック４０の構造を模式的に示した図
【図２】サッシフレーム２００と窓ガラス３００の縦断面図
【図３】吊り下げフック４０をサッシフレーム２００と窓ガラス３００との間に押し入れて係止する様子を示す図
【図４】吊り下げフック４０がサッシフレーム２００と窓ガラス３００両者の隙間においてしっかりと安定する様子を模式的に示す図
【図５】ワイヤー５０の先端に取り付けられている挟持フック６０の構造を示す図
【図６】装飾物４００の係止の様子を模式的に示した図
【図７】装飾品が下方に移動するほどカムと装飾品が強く締め付け合う原理を模式的に説明する図
【図８】装飾物４００を下から挟持する副挟持フックの構造を示す図
【図９】挟持フック６０および副挟持フック６０’の装飾物４００への配置例を示す図
【図１０】副ワイヤー５０’の配線をたすき掛けにした挟持フック６０および副挟持フック６０’の装飾物４００への配置例を示す図
【符号の説明】
【００３７】
１０  窓ガラス対向ツメ
１１  突起形状
２０  サッシ対向ツメ
２１  引っ掛け形状
３０  ブリッジ
４０  吊り下げフック
５０  ワイヤー
５０’  副ワイヤー
６０  挟持フック
６０’  副挟持フック
１００  窓ガラス装飾フック
２００  サッシフレーム
２１０  屋内側フレーム
２１１，２２１  返し
２２０  屋外フレーム
２３０  ゴムビート
３００  窓ガラス
４００  装飾物
【図１】
0003137288.tif 000003
【図２】
0003137288.tif 000004
【図３】
0003137288.tif 000005
【図４】
0003137288.tif 000006
【図５】
0003137288.tif 000007
【図６】
0003137288.tif 000008
【図７】
0003137288.tif 000009
【図８】
0003137288.tif 000010
【図９】
0003137288.tif 000011
【図１０】
0003137288.tif 000012
【図１１】
0003137288.tif 000013
【手続補正書】
【提出日】平成19年10月3日(2007.10.3)
【手続補正１】
【補正対象書類名】明細書
【補正対象項目名】００３６
【補正方法】変更
【補正の内容】
【００３６】
【図１】本考案の窓ガラス装飾フック１００の吊り下げフック４０の構造を模式的に示した図
【図２】サッシフレーム２００と窓ガラス３００の縦断面図
【図３】吊り下げフック４０をサッシフレーム２００と窓ガラス３００との間に押し入れて係止する様子を示す図
【図４】吊り下げフック４０がサッシフレーム２００と窓ガラス３００両者の隙間においてしっかりと安定する様子を模式的に示す図
【図５】ワイヤー５０の先端に取り付けられている挟持フック６０の構造を示す図
【図６】装飾物４００の係止の様子を模式的に示した図
【図７】装飾品が下方に移動するほどカムと装飾品が強く締め付け合う原理を模式的に説明する図
【図８】装飾物４００を下から挟持する副挟持フックの構造を示す図
【図９】挟持フック６０および副挟持フック６０'の装飾物４００への配置例を示す図
【図１０】副ワイヤー５０'の配線をたすき掛けにした挟持フック６０および副挟持フック６０'の装飾物４００への配置例を示す図
【図１１】吊り下げフック４０が２個、挟持フック６０が１個という組み合わせの配置例を示す図